(57)【要約】【課題】制御盤に容易に切り離し可能に遠隔監視機能部を設置し、電波状態に応じて通信路を切替え選択し、エレベータの運行状況に関する情報を伝送可能とする。【解決手段】制御盤筐体１内には、制御盤用基板３で取得されたエレベータの運行状況情報を取り込んで送信する遠隔監視用基板４と、この基板４近傍に設置された遠隔監視用電源スイッチ６及びＰＨＳ用電源スイッチ７と、前記筐体１内上部に添設されたＰＨＳ用アンテナ９とを設け、遠隔監視用基板４は、ＰＩＡＦＳ通信部４２及びパケット通信部４３を有し、電源スイッチ６がオン状態にあるとき、ＰＨＳの電波状態が良好であるときにＰＩＡＦＳ通信を行い、電波状態が悪いとき、電話回線１４が引き込んでいることを条件にパケット通信を行うエレベータの遠隔監視機能付き制御盤である。【選択図】      図２
2008201524.tif 000002
【特許請求の範囲】
【請求項１】
少なくともエレベータの運行制御及び運行状況に関する各種情報を管理する制御盤用基板が収納された制御盤筐体において、
前記制御盤筐体内には、
前記制御盤用基板で取得されたエレベータの運行状況に関する各種情報を取り込んで遠隔監視センタに送信する機能部品を装填した遠隔監視用基板と、この遠隔監視用基板近傍に設置された遠隔監視用電源スイッチ及びＰＨＳ用電源スイッチと、前記筐体内上部に添設されたＰＨＳ用アンテナとを設け、
前記遠隔監視用基板は、ＰＩＡＦＳ通信部及びパケット通信部を有し、前記遠隔監視用電源スイッチがオン状態にあるとき、前記ＰＨＳ用アンテナから取得される電波受信強度を確認し、電波状態が良好であるとき、前記ＰＨＳ用電源スイッチがオン状態にあるときにＰＩＡＦＳ通信を行い、前記電波状態が悪いとき、電話回線が引き込んでいることを条件にパケット通信を行うことを特徴とするエレベータの遠隔監視機能付き制御盤。
【請求項２】
請求項１に記載のエレベータの遠隔監視機能付き制御盤において、
遠隔監視用電源スイッチ及びＰＨＳ用電源スイッチは、エレベータ乗りかご内に設置されるスイッチボックスの点検スイッチと連動し、当該点検スイッチをオンに設定したとき、自動的にオフ状態に設定されることを特徴とするエレベータの遠隔監視機能付き制御盤。
【発明の詳細な説明】
【技術分野】
【０００１】
本発明は、エレベータの運行状況に関する情報を監視し、監視センタに伝送するエレベータの遠隔監視機能付き制御盤に関する。
【背景技術】
【０００２】
一般に、エレベータの遠隔監視システムを構築する場合、設置当初から制御盤と遠隔監視装置とを接続し、遠隔監視装置が制御盤で取得したエレベータの運行状況に関する各種情報を取り込み、公衆通信回線を介して監視センタへ伝送する方法が採用されている（特許文献１）。
【０００３】
しかし、以上のような遠隔監視システムは、予め遠隔監視を前提として、制御盤に接続される遠隔監装置と監視センタとの間の情報のやり取りを規定し、遠隔監視装置がその規定に従って必要な情報を監視センタに送信するものである。
【０００４】
ところが、近年、既存のエレベータの制御盤に遠隔監視機能を付加して遠隔監視システムを構築する例が多いが、この場合には幾つかのシステムの構築方法が考えられている。
【０００５】
その１つは、既存の制御盤に代えて、運行制御機能部と遠隔監視機能部とが一体化した監視端末装置を設け、遠隔監視機能部が運行制御機能部で取得したエレベータの運行状況に関する各種情報を取り込み、公衆通信回線を介して監視センタへ伝送する方法である（特許文献２）。
【０００６】
他の１つは、既設の制御盤に遠隔監視装置を外付けし、エレベータの運行状況に関する各種情報を取り込み、公衆通信回線を介して監視センタへ伝送する方法である。
【特許文献１】特開２００３−２１２４４７号公報（図１参照）
【特許文献２】特開２００３−０７３０４７号公報（図１参照）
【発明の開示】
【発明が解決しようとする課題】
【０００７】
しかしながら、前者の運行制御機能部と遠隔監視機能部とを一体的に組込んだ遠隔監視システムでは、本来の運行制御機能部から遠隔監視機能部を切り離しできないことから、遠隔監視機能部が保守点検時時の例えばエレベータの運行状況をそのまま監視センタに送信してしまうなどの問題がある。
【０００８】
一方、後者の制御盤に後に遠隔監視装置を外付けする遠隔監視システムでは、前述した一体的込み込み型と同様の問題の他、制御盤に遠隔監視装置を外付けした状態で昇降路内に設置した場合、見栄えが悪く、遠隔監視装置と外部の通信回線との配線接続処理に多くの時間と手間がかかる問題がある。
【０００９】
本発明は上記事情に鑑みてなされたもので、制御盤に容易に切り離し可能に遠隔監視機能部を設置し、かつ、電波状態に応じて適宜通信路を切替え選択し、エレベータの運行状況に関する必要な情報を伝送可能とするエレベータの遠隔監視機能付き制御盤を提供することを目的とする。
【課題を解決するための手段】
【００１０】
上記課題を解決するために、本発明は、少なくともエレベータの運行制御及び運行状況に関する各種情報を管理する制御盤用基板が収納された制御盤筐体において、前記制御盤筐体内には、前記制御盤用基板で取得されたエレベータの運行状況に関する各種情報を取り込んで監視センタに送信する機能部品を装填した遠隔監視用基板と、この遠隔監視用基板近傍に設置された遠隔監視用電源スイッチ及びＰＨＳ用電源スイッチと、前記筐体内上部に添設されたＰＨＳ用アンテナとを設け、
前記遠隔監視用基板は、ＰＩＡＦＳ通信部及びパケット通信部を有し、前記遠隔監視用電源スイッチがオン状態にあるとき、前記ＰＨＳ用アンテナから取得される電波受信強度を確認し、電波状態が良好であるとき、前記ＰＨＳ用電源スイッチがオン状態にあるときにＰＩＡＦＳ通信を行い、前記電波状態が悪いとき、電話回線が引き込んでいることを条件にパケット通信を行うエレベータの遠隔監視機能付き制御盤である。
【００１１】
なお、遠隔監視用電源スイッチ及びＰＨＳ用電源スイッチとしては、エレベータ乗りかご内に設置されるスイッチボックスの点検スイッチと連動し、当該点検スイッチをオンに設定したとき、自動的にオフ状態に設定される構成としてもよい。
【発明の効果】
【００１２】
本発明によれば、制御盤にスイッチを介して遠隔監視機能部を容易に切り離しでき、また、電波状態に応じて適宜通信路を切替え選択し、エレベータの運行状況に関する必要な情報を遠隔監視センタに伝送するエレベータの遠隔監視機能付き制御盤を提供できる。
【発明を実施するための最良の形態】
【００１３】
以下、本発明の実施の形態について図面を参照して説明する。  
図１及び図２は本発明に係るエレベータの遠隔監視機能付き制御盤を説明する図であって、図１は遠隔監視機能付き制御盤の各部品の概略配置構成を示す図、図２は遠隔監視機能付き制御盤の電気的な構成を示す図である。
【００１４】
図１において、１は制御盤筐体であって、この制御筐体１内の上部に商用交流電源から所要の周波数の電動機駆動電力を取り出す電力変換機能回路素子を組み込んだパワーユニット回路用基板２が配置され、また、制御盤筐体１の下側にはエレベータの運行制御を司る制御盤本体となる制御盤用基板３が配置される。
【００１５】
制御盤用基板３は、具体的には、エレベータの運行制御機能、当該運行制御機能による運行制御結果に基づいて取得される各種の運行状況情報を保存管理する運行管理機能及び故障情報検出機能等の部品が実装される。
【００１６】
４はパワーユニット回路用基板２の下部側に配置される遠隔監視用基板である。この遠隔監視用基板４は、制御盤用基板３で取得された各種の情報を遠隔監視センタ（図示せず）に伝送する回路素子が実装されている。
【００１７】
５は商用交流電源の停電時にバックアップの役割を持った各種基板用バックアップ電池電源である。６は遠隔監視用電源スイッチ、７はＰＨＳ（Personal  Handy  phone  System）用電源スイッチであって、これら電源スイッチ６，７は、制御盤筐体１に外取けしても良いが、例えば制御盤筐体１内の遠隔監視用基板４近傍に設置することが望ましい。遠隔監視用基板４近傍に設置すれば、少なくとも遠隔監視用基板４に関連する電源スイッチであることが容易に把握できる為である。これら電源スイッチ６，７は、常時はオン状態であり、例えばエレベータかご内に設置されるスイッチボックス１０（図２参照）内の点検スイッチのオン動作に連動してオフ「切」動作に設定される。なお、電源スイッチ６，７は、点検スイッチに連動しない構成であっても構わない。
【００１８】
８は電話線差込み端子であって、制御盤筐体１に取り付けられ、有線である公衆通信回線である電話回線が着脱可能に接続される。９は制御盤筐体１内のやや上部に添設されたＰＨＳ用アンテナである。
【００１９】
図２は遠隔監視機能付き制御盤の電気的な構成を示す図である。  
パワーユニット回路用基板２には、三相の商用交流電源２１が接続され、商用交流電源２１からの交流電力を直流電力に変換する交流・直流変換機能とこの変換された直流電力を所要周波数の交流電力に変換する直流・交流変換機能とを有し、所要周波数の交流電力である電動機駆動電力を巻上機２２に供給する。この巻上機２２には主索２３が巻き掛けられ、当該主索２３の一端部には乗りかご２４、他端部にはつり合いおもり２５が吊下されている。
【００２０】
制御盤用基板３には、シーケンスプログラムに従ってエレベータの運行制御を実行する運行制御部３１、運行管理部３２及び故障情報検出部３３が設けられている。
【００２１】
運行管理部３２は、エレベータから各種の運行状況情報を取り込んで記録し管理するものであって、例えばエレベータ運転時の例えば突発的な停止位置やある停止階の停止位置ずれ等をコード変換して記録するエラーコード、エレベータの運転履歴情報を記録するトレースデータ、エレベータ運転回数やドア開閉回数等のメンテナンス時に必要な情報を記録するメンテナンスデータ等を保存管理する。
【００２２】
故障情報検出部３３は、かごドア及び乗場ドアの閉時に少し開いた状態を検出するスイッチ、乗りかごの最上階及び最下階の行き過ぎを検出するスイッチその他各種の危険状態を検出するスイッチ等からなり、各スイッチによる異常検出時にエレベータの運行状況情報の一種である所定の故障情報を遠隔監視用基板４に送出する。
【００２３】
遠隔監視用基板４は、所定の周期ごとに運行管理部３２に保存される情報を取り込んで遠隔監視センタ１１に送信し、かつ、故障情報検出部３３で検出された故障情報を受け取ると直ちに遠隔監視センタ１１に送信する。
【００２４】
遠隔監視用基板４には、図３に示すように、少なくとも通信状態検出部４１と、ＰＩＡＦＳ通信部４２と、パケット通信部４３とが設けられている。
【００２５】
通信状態検出部４１は、ＰＨＳ周波数帯の電波の状態を検出する機能を有する。ＰＩＡＦＳ通信部４２は、ＰＨＳ用データ通信プロトコルに従い、送信先となる遠隔監視センタ１１に自動的にダイヤルし、着信応答があったとき、運行状況情報をＰＨＳ回線網１２を介して遠隔監視センタ１１に伝送する。なお、ＰＩＡＦＳは、ＰＨＳ用データ伝送方式を利用するものであって、通常，ＰＨＳ回線網１２を介して一般の電話回線網と同じ経路を通して送信先に高速伝送することが可能である。
【００２６】
パケット通信部４３は、送信先となる遠隔監視センタ１１に自動的にダイヤルするが、着信応答の有無に拘らず、パケットに生成し運行状況情報を例えば専用網等のパケット通信網１３を介して遠隔監視センタ１１に伝送する。
【００２７】
次に、以上のように構成されたエレベータの遠隔監視機能付き制御盤の動作について説明する。
【００２８】
（１）  エレベータの通常運転時。
【００２９】
常時は遠隔監視用電源スイッチ６及びＰＨＳ用電源スイッチ７がオン状態となっている。この状態においては、制御盤用基板３は、乗場呼び又はかご呼びに基づき行先階が登録されると、パワーユニット回路用基板２の運行制御部３１が所定の速度指令のもとにエレベータを運行制御する。
【００３０】
制御盤用基板３の運行管理部３２は、運行制御の結果であるエレベータから各種の運行状況情報，例えばエレベータ運転時の例えば突発的な停止位置やある停止階の停止位置ずれ、エレベータの運転履歴情報及びエレベータ運転回数やドア開閉回数等のメンテナンス時に必要な情報を取り込んで保存する。また、制御盤用基板３の故障情報検出部３３は、エレベータ設備の各箇所に設置される安全スイッチ（図示せず）の動作時、異常データを出力する。
【００３１】
一方、遠隔監視用基板４においては、図４に示すような一連の処理を実行する。すなわち、遠隔監視用基板４の通信状態検出部４１は、遠隔監視用電源スイッチ６が投入されているか否かを判断し（Ｓ１）、電源スイッチ６が投入していると判断されたとき、ＰＨＳ用アンテナ９を通して得られる受信強度からＰＨＳ周波数帯の電波状況が良好な状態に有るか否かを判断する（Ｓ２）。
【００３２】
ここで、ＰＨＳ周波数帯の電波状況が良好な状態に有れば、ＰＨＳ用電源スイッチ７が投入されているか否かを判断する（Ｓ３）。ＰＨＳ用電源スイッチ７が常時オン状態にあれば、ＰＩＡＦＳ通信部４２を選択し、遠隔監視用基板４の初期設定を完了する（Ｓ４）。
【００３３】
ＰＩＡＦＳ通信部４２は、ＰＨＳ用データ通信プロトコルに従い、所定の周期ごとに送信先となる遠隔監視センタ１１に自動的にダイヤルし、着信応答があったとき、運行管理部３２に保存されるエレベータの運行状況情報を取り込み、ＰＨＳ回線網１２を介して遠隔監視センタ１１に伝送する（Ｓ５）。
【００３４】
なお、遠隔監視用基板４は、故障情報検出部３３から異常データが送られてくると、電波状況が良好な状態に有れば（Ｓ２）、その異常データをＰＩＡＦＳ通信部４２及びＰＨＳ回線網１２を介して遠隔監視センタ１１に伝送する（Ｓ３〜Ｓ５）。
【００３５】
しかし、例えばＰＨＳ用電源スイッチ７が制御盤筐体１に外付けされ、または遠隔監視用基板４近傍に設置されているが、常時オン状態に無い場合には通信状態検出部４１は、自動的にオン設定し、前述同様にＰＩＡＦＳ通信部４２を選択し、遠隔監視用基板４の初期設定が完了する。そして、ＰＩＡＦＳ通信部４２は、所定の周期ごとに送信先となる遠隔監視センタ１１に自動的にダイヤルし、着信応答があったとき、運行管理部３２に保存されるエレベータの運行状況情報を取り込んで、ＰＨＳ回線網１２を介して遠隔監視センタ１１に伝送する。
【００３６】
ところで、ステップＳ２において、ＰＨＳ周波数帯の電波状況が悪い状態にある場合、電話回線１４の接続端子が差込み用端子５に差し込まれているか否かを判断する（Ｓ６）。ここで、電話回線１４の接続端子が差込み用端子５に差込み接続されている場合、パケット通信部４３を選択し、遠隔監視用基板４の初期設定を完了
する（Ｓ４）。
【００３７】
パケット通信部４３は、送信先となる遠隔監視センタ１１に自動的にダイヤルするが、着信応答の有無に拘らず、パケットを生成し運行状況情報を例えば専用網等のパケット通信網１３を介して遠隔監視センタ１１に伝送する（Ｓ５）。
【００３８】
ステップＳ６において、電話回線１４が差込み用端子５に接続されていない場合、例えば自動警報等により電話回線１４の接続端子が差込み用端子５に接続されていないことを通知する（Ｓ７）。ここで、電話回線１４の接続端子が差込み用端子５に差込むと、パケット通信部４３を選択し、遠隔監視用基板４の初期設定を完了する。そして、パケット通信部４３は、前述同様にパケットに生成し運行状況情報を例えば専用網等のパケット通信網１３を介して遠隔監視センタ１１に伝送する。
【００３９】
なお、パケット通信部４３は、故障情報検出部３３から異常データを受けたとき、ＰＩＡＦＳ通信部４と同様に直ちにパケット通信網１３を介して遠隔監視センタ１１に伝送する。
【００４０】
従って、以上のように構成によれば、既存の制御盤筐体１内に遠隔監視機能部である遠隔監視用基板４を後付けで設置しても、既存の制御盤筐体１内に遠隔監視用基板４を収納しているので、例えば制御盤筐体１が昇降路に設置されていても、見た目に綺麗ですっきりし、また、エレベータ走行時に主索２３が揺れた場合でも、何ら影響を及ぼすことがない。
【００４１】
さらに、遠隔監視用基板４の初期設定時、ＰＩＡＦＳ通信部４２及びパケット通信部４３と電話回線１４及びＰＨＳ回線網１２との接続作業を円滑に進捗させることができる。また、制御盤筐体１内にＰＨＳアンテナ９も内蔵するとともに、差込み用端子５に電話回線１４の接続端子を差込み可能とすることにより、電話回線１４が必要な場合には特に取り付け工具を使わずに容易に電話回線１４を接続できる。
【００４２】
さらに、遠隔監視用電源スイッチ６及びＰＨＳ用電源スイッチ７を用いて、「入」、「切」ができるようにしたので、通信管理事業体との間で無契約及び再契約等の状況が生じたとき、無駄な時間を要せずに即座に対応可能である。
【００４３】
（２）  エレベータの保守点検時。
【００４４】
エレベータの定期的な保守点検時、保守員が乗りかご２４のスイッチボックス１０内の点検スイッチをオンすると、当該点検スイッチのオン動作に連動して遠隔監視用電源スイッチ６及びＰＨＳ用電源スイッチ７がオフ動作する。これにより、制御盤用基板３から遠隔監視用基板４が自動的に切り離されてしまう。
【００４５】
その結果、保守点検時におけるエレベータの走行点検運転時、遠隔監視用基板４が制御盤用基板３で取得された運行状況情報に基づいて自動的に発報することがなくなる。
【００４６】
その他、本発明は、上記実施の形態に限定されるものでなく、その要旨を逸脱しない範囲で種々変形して実施できる。
【図面の簡単な説明】
【００４７】
【図１】本発明に係るエレベータの遠隔監視機能付き制御盤における各部品の配置構成例を示す図。
【図２】本発明に係るエレベータの遠隔監視機能付き制御盤の電気的な構成を示す図。
【図３】遠隔監視用基板に搭載される機能ブロック図。
【図４】本発明に係るエレベータの遠隔監視機能付き制御盤の初期設定動作を説明する流れ図。
【符号の説明】
【００４８】
１…制御盤筐体、２…パワーユニット回路用基板、３…制御盤用基板、４…遠隔監視用基板、５…各種基板用バックアップ電池電源、６…隔監視用電源スイッチ、７…ＰＨＳ用電源スイッチ、８…電話線差込み端子、９…ＰＨＳ用アンテナ、１０…スイッチボックス、１１…監視センタ、１２…ＰＨＳ回線網１２、１４…電話回線、３１…運行制御部、３２…運行管理部、３３…故障情報検出部、４１…通信状態検出部、４２…ＰＩＡＦＳ通信部、４３…パケット通信部。
【図１】
2008201524.tif 000003
【図２】
2008201524.tif 000004
【図３】
2008201524.tif 000005
【図４】
2008201524.tif 000006